(57)【要約】  吸入空気を受け入れる吸気口と、第一面と第二面とを有し、第一面で吸入空気から熱を取り出して冷却された排出空気を発生させ第二面に熱を移動させるように構成された少なくとも一つのヒートポンプと、ヒートポンプの第二面と熱的接触を有する相変化物質と、装置の外部に向けて冷却された排出空気を輸送する手段と、からなり、相変化物資は一次相から二次相に気温が主導する相変化を経て、相変化物質の少なくとも一部が一次相である時、そのすべてが二次相に変わるまで第二面から熱を吸収し、かつ、相変化物質は少なくとも約２８℃の相転移温度を有することを特徴とする、個人向け冷房装置。【選択図】図１
2014518368.tif 000002
【特許請求の範囲】
【請求項１】
吸入空気を受け入れる吸気口と、
第一面と第二面とを有し、前記第一面で前記吸入空気から熱を取り出して冷却された空気を発生させ前記第二面に熱を移動させるように構成された少なくとも一つのヒートポンプと、
前記ヒートポンプの前記第二面と熱的接触を有する相変化物質と、
装置の外部に向けて前記冷却された空気を輸送する手段と、からなり、
前記相変化物資は一次相から二次相に気温が主導する相変化を経て、前記相変化物質の少なくとも一部が前記一次相である時、そのすべてが前記二次相に変わるまで前記第二面から熱を吸収し、かつ、
前記相変化物質は少なくとも約２８℃の相転移温度を有することを特徴とする、
個人向け冷房装置。
【請求項２】
予め決められた期間、予め決められた場所において予測された大気温度範囲に基づいて前記相変化物質を選択し、前記相変化物質は前記予測された大気温度範囲の最高値より高い相転移温度を有することを特徴とする、
請求項１に記載の個人向け冷房装置。
【請求項３】
前記相転移温度が少なくとも約４０℃であることを特徴とする、
請求項１又は２に記載の個人向け冷房装置。
【請求項４】
前記相変化物質はパラフィンワックスからなることを特徴とする、
請求項１〜３のいずれか１項に記載の個人向け冷房装置。
【請求項５】
前記吸入空気から水分及び混入物質又はいずれか一方を少なくとも部分的に除去するためのろ過装置からなることを特徴とする、
請求項１〜４のいずれか１項に記載の個人向け冷房装置。
【請求項６】
前記ろ過装置は除湿コンポーネント、微粒子ろ過コンポーネント、又はガスろ過コンポーネントのうち一つ以上からなることを特徴とする、
請求項５に記載の個人向け冷房装置。
【請求項７】
前記ろ過装置は部分的に又は完全に取外し可能であることを特徴とする、
請求項５又は６に記載の個人向け冷房装置。
【請求項８】
汚染微生物の少なくとも一部を除去又殺菌するための空気清浄装置からなることを特徴とする、
請求項１〜７のいずれか１項に記載の個人向け冷房装置。
【請求項９】
前記空気清浄装置は前記装置の前記吸気口及び前記排気口又はいずれか一方と流体連通していることを特徴とする、
請求項８に記載の個人向け冷房装置。
【請求項１０】
前記空気清浄装置はＵＶ−Ｃ光源、光触媒コンポーネント、又はマイナスイオン発生器のうち一つ以上からなることを特徴とする、
請求項８又は９に記載の個人向け冷房装置。
【請求項１１】
前記相変化物質を含む容器は少なくとも一部が前記ヒートポンプを取り囲んでいることを特徴とする、
請求項１〜１０のいずれか１項に記載の個人向け冷房装置。
【請求項１２】
前記ヒートポンプは前記容器と同心であることを特徴とする、
請求項１１に記載の個人向け冷房装置。
【請求項１３】
前記ヒートポンプの前記第一面と熱的接触を有する熱交換器をさらに含むことを特徴とする、
請求項１〜１２のいずれか１項に記載の個人向け冷房装置。
【請求項１４】
前記熱交換器は複数の平板状部材からなることを特徴とする、
請求項１３に記載の個人向け冷房装置。
【請求項１５】
前記平板状部材はハニカム構造を形成することを特徴とする、
請求項１４に記載の個人向け冷房装置。
【請求項１６】
前記容器は前記ヒートポンプの前記第二面と熱的接触を有する少なくとも１個のヒートシンクをからなることを特徴とする、
請求項１〜１５のいずれか１項に記載の個人向け冷房装置。
【請求項１７】
前記ヒートシンクは複数の突出部からなることを特徴とする、
請求項１６に記載の個人向け冷房装置。
【請求項１８】
前記熱交換器は多角形の断面を有しており、前記熱交換器の各側面は前記ヒートポンプの前記第一面と熱的接触を有することを特徴とする、
請求項１２を引用する請求項１３に記載の個人向け冷房装置。
【請求項１９】
前記ヒートポンプに対する電圧を調整する手段からなることを特徴とする、
請求項１〜１８のいずれか１項に記載の個人向け冷房装置。
【請求項２０】
規定の期間、規定の場所において予測された大気温度範囲を決定する工程と、
前記予測された大気温度範囲に基づいて、前記予測された大気温度範囲の最高値より高い相転移温度を有する相変化物質を選択する工程と、
吸入空気を受け入れる吸気口と、第一面と第二面とを有し、前記第二面は前記相変化物質と熱的接触を有し、前記第一面で吸入空気から熱を取り出して冷却された排出空気を発生させ前記第二面に熱を移動させるように構成された少なくとも一つのヒートポンプと、装置の外部に向けて冷却された排出空気を輸送する手段と、からなる個人向け冷房装置を提供する工程と、からなり、
前記相変化物資は一次相から二次相に気温が主導する相変化を経て、前記相変化物質の少なくとも一部が前記一次相である時、そのすべてが前記二次相に変わるまで前記第二面から熱を吸収することを特徴とする、
空調方法。
【発明の詳細な説明】
【技術分野】
【０００１】
本発明は、個人用冷房機器に関する。
【背景技術】
【０００２】
オフィス建築物等の屋内空間において、空調機器を用いて該建築物内の個々人の快適性を追求することは一般的である。建築物の壁には空調装置が設置され、冷却された又は加熱された空気を、通常該建築物内の部屋やオフィスといった特定の場所に送る為、ダクトが設けられている。そのような装置を用いて、個々のオフィス内の空気温度を的確に制御することは困難である。
【０００３】
建築物内において、個々人の要求に部分的に応ずることのできる個人向け暖房又は冷房装置が知られている。例えば、風速冷却（対流熱損失）による局所的な冷却効果を提供することができる小型電気扇風機が知られている。しかしながら、暑くかつ湿度の高い環境下において、熱的な快適性を求めて十分な冷却を行うためには、過剰な風が生み出されるような速度で該扇風機を動作させなくてはならない。
【０００４】
代替となる種類の個人向け暖房又は冷房機器が米国特許第６４８１２１３号に記載されている。ここに記載されている機器は、熱交換器に向かって空気を送る吸入ファンを備えている。該熱交換器は熱電機器の形態を取るヒートポンプと熱的接触を有しかつそれによって冷却される。ヒートポンプによって空気中から取り除かれた熱は蓄熱式熱交換器に送られ、氷の形態を取る熱質量によって吸収される。吸入空気から熱を周辺環境に向けて排出したり、ヒートポンプの過程から熱を周辺環境に廃棄したりするよりはむしろ、熱は氷を溶かすことに起因する潜在熱として少なくとも一部は熱量として蓄えられる。
【先行技術文献】
【特許文献】
【０００５】
【特許文献１】米国特許６４１８２１３号公報
【０００６】
先行技術のいくつかの欠点を克服する一方、米国特許第６４８１２１３号に記載された機器は複数の欠点を内在している。
使用前に、機器は氷を作って「再充電」されなければならない。これには、使用予定時間に対して十分早くから再充電工程が実施されるよう、タイマーを用いる必要があるかもしれない。したがって、機器は需要を事前に予測することが難しい状況下においては適さないかもしれない。
例えば、オフィス空間にある複数の機器について稼働日終了時に充電を行う場合、機器から該空間に向けて熱が同時に排出されるが、これは予定された充電時間にオフィスに残っている人にとってはおそらく不快であろう。
例えば嵩張るポリスチレンや、大きなコストのかかるポリウレタンやシリコンのような高いＲ値を有する素材によって、氷は断熱されなければならない。
【０００７】
上記の欠点のうち一つ以上を軽減し、又は少なくとも有用な代替品を提供するという、個人向け冷房機器に対する需要が存在する。
【発明の概要】
【０００８】
第一に、本発明である個人向け冷房装置は、
吸入空気を受け入れる吸気口と、
第一面と第二面とを有し、前記第一面で前記吸入空気から熱を取り出して冷却された空気を発生させ前記第二面に熱を移動させるように構成された少なくとも一つのヒートポンプと、
前記ヒートポンプの前記第二面と熱的接触を有する相変化物質と、
前記装置の外部に向けて前記冷却された空気を輸送する手段と、からなり、
前記相変化物資は一次相から二次相に気温が主導する相変化を経て、前記相変化物質の少なくとも一部が前記一次相である時、そのすべてが前記二次相に変わるまで前記第二面から熱を吸収し、かつ、
前記相変化物質は少なくとも約２８℃の相転移温度を有することを特徴とする。
【０００９】
本発明はまた、
規定の期間、規定の場所において予測された大気温度範囲を決定する工程と、
前記予測された大気温度範囲に基づいて、前記予測された大気温度範囲の最高値より高い相転移温度を有する相変化物質を選択する工程と、
吸入空気を受け入れる吸気口と、第一面と第二面とを有し、前記第二面は前記相変化物質と熱的接触を有し、前記第一面で吸入空気から熱を取り出して冷却された排出空気を発生させ前記第二面に熱を移動させるように構成された少なくとも一つのヒートポンプと、
前記装置の外部に向けて冷却された排出空気を送る手段と、からなる個人向け冷房装置を提供する工程と、からなり、
前記相変化物資は一次相から二次相に気温が主導する相変化を経て、前記相変化物質の少なくとも一部が前記一次相である時、そのすべてが前記二次相に変わるまで前記第二面から熱を吸収することを特徴とする、
空調方法を提供する。
【００１０】
本出願人は、相変化物質が先行技術にある低い転移温度とは逆に、比較的高い（２８℃超）転移温度を有すると、オフィスや住居環境における個々人の局所的空間を冷却するのにとりわけ有効であることを、驚きをもって見いだした。相転移温度（例えば、融解温度）が予測された大気温度より高い相変化物質を用いることにより、使用していない時に自動的に再充電を行う冷房装置を提供することができる。つまり、ヒートポンプの電源を切り、該相変化物質をその転移温度より低い大気温度にさらすと、該相変化物質が受動的に二次相から一次相へと逆の相変化を始める。したがって、時間を計る機構や、装置を予め充電する必要性は取り除かれる。
【００１１】
ある実施形態においては、相変化物質は予め決められた期間、予め決められた場所において予測された大気温度範囲に基づいて選択され、該相変化物質は該予測された大気温度範囲の最高値より高い相転移温度を有する。
【００１２】
例えば、既に空調の効いた空間において本装置を補助的な冷房手段として使用する場合、約２８℃以上の転移温度を有する相変化物質は特に適しているかもしれない。一方で、本装置を主要な局所的冷房源とする場合は、さらに高い転移温度（例えば４０℃超又はそれ以上）を有する物質が役に立つかもしれない。
【００１３】
ヒートポンプは熱電機器、例えばペルチェモジュールであってもよい。他の実施形態においては、ヒートポンプはサーモトンネル又は電気熱量効果を用いる熱を輸送する機器であってもよい。
【００１４】
ある実施形態においては、好適な相変化物質は融点が約４０℃のパラフィンワックスからなる。しかしながら、融点が４０℃超の他の相変化物質を用いてもよい。他の実施形態においては、相変化物質は融点が約２８℃超のパラフィンワックスからなってもよい。パラフィンワックスはその密閉容易性、無毒性、及び非腐食性により好ましい。
【００１５】
ある実施形態においては、本装置は吸入空気中の水分及び混入物質又はいずれか一方を少なくとも部分的に除去するためのろ過装置を含む。例えば、ろ過装置は吸気口に隣接した位置にあってもよい。ろ過装置は除湿コンポーネント、微粒子ろ過コンポーネント、又はガスろ過コンポーネントのうち一つ以上を含んでいてもよい。ろ過装置は部分的に又は完全に取外し可能であってもよい。例えば、ろ過装置の各コンポーネントは個別に取外し可能であってもよいし、使用者によって保守可能であってもよい。
【００１６】
本装置は汚染微生物の少なくとも一部を除去又は殺菌するための空気清浄装置を含んでいてもよい。空気清浄装置は、本装置の吸気口及び排気口又はいずれか一方と流体連通されていてもよい。例えば、空気清浄装置はＵＶ−Ｃ光源、本装置の内壁に適用してもよい光触媒皮膜のような光触媒コンポーネント、又はマイナスイオン発生器のうち一つ以上を含んでいてもよい。
【００１７】
ある実施形態においては、相変化物質を含む容器は少なくとも一部がヒートポンプを取り囲んでいる。ヒートポンプは容器と同心であってもよい。
【００１８】
いくつかの実施形態においては、本装置はヒートポンプの第一面と熱的接触を有する熱交換器をさらに含む。熱交換器は例えば、ハニカム構造を形成してもよい複数の平板状部材を備えていてもよい。
【００１９】
容器は好ましくは、ヒートポンプの第二面と熱的接触を有する少なくとも一枚のヒートシンクからなる。ヒートシンクは複数のフィンを備えていてもよい。
【００２０】
本装置が上述の熱交換器を含む場合、熱交換器は例えば、長方形や六角形の断面からなる多角形の断面を有していてもよい。このとき、熱交換器の各側面はヒートポンプのうち一つの第一面と熱的接触を有する。
【００２１】
いくつかの実施形態においては、本装置はさらにヒートポンプに対する電圧を調整する手段からなる。
【００２２】
これから本発明のいくつかの実施形態を、非限定例のみを用いて、添付の図面を参照しつつ述べる。
【図面の簡単な説明】
【００２３】
【図１】図１は、本発明の一実施形態に係る個人向け冷房装置の略ブロック図である。
【図２】図２は、本発明の別の実施形態に係る個人向け冷房装置の分解図及び一部断面図を示す。
【図３】図３は、個人向け冷房装置の別の実施形態に係る正面斜視図である。
【図４】図４は、図３の個人向け冷房装置の背面斜視図である。
【図５】図５は、図３及び図４の冷房装置に用いる相変化物質を含む容器の斜視図である。
【図６】図６は、図５の相変化物質を含む容器の略断面図である。
【図７】図７は、個人向け冷房装置のさらに別の実施形態を示す。
【発明を実施するための形態】
【００２４】
まず図１は、個人向け冷房装置１０の略図を示し、ろ過装置３０、熱交換器４０、ヒートポンプ５０、相変化物質を含む容器６０、空気清浄装置７５、及びファン１５を含むコンポーネントを内蔵する筺体１２を有している。筺体１２内には、吸気口２０及び排気口８０によって区切られた管３５が配置され、下記に述べるような方法で空気を流し及び冷却する。
【００２５】
装置１０は、吸気口２０において大気温度の吸入空気９０を受け入れる。吸入空気はろ過装置３０を通るが、これは現状好ましい実施形態において吸気口２０に隣接して設置されかつ吸入空気と流体が連通可能に設置されている。ろ過装置３０は他の場所に設置することも可能である。詳細な構成によるが、ろ過装置３０は除湿、微粒子ろ過、又はガスろ過を含む、これらに限定されることのない、数々の機能を発揮してもよい。
【００２６】
例えば、ろ過装置３０は既知の少なくとも一つの乾燥材層又は乾燥材が浸透したハニカム構造からなる除湿コンポーネントを用いて、吸入空気を除湿してもよい。除湿コンポーネントは装置１０から取外し可能であってもよいし、例えば、電子レンジ内で加熱して吸収した水分を除去することにより再生可能であってもよい。
【００２７】
選択的に、又追加的に、ろ過装置は微粒子ろ過コンポーネントからなるものであってもよい。微粒子ろ過コンポーネントは一層（ＭＥＲＶ１３）空気フィルター、二層空気フィルター（ＭＥＲＶ８予備フィルター及びＭＥＲＶ１３最終フィルター）、又は静電ろ過モジュールからなるものであってもよい。
【００２８】
さらに選択的に、ろ過装置３０は揮発性有機化合物（ＶＯＣｓ）及び臭気発生ガスを除去するために、分子ふるい又は活性炭ハニカム構造といったガスろ過コンポーネントからなるものであってもよい。
【００２９】
ろ過装置３０は、部分的に又は完全に取外し可能であってもよい。例えば、ろ過装置の（上述の）個々のコンポーネントは個別に取外し可能であってもよいし、使用者によって保守可能であってもよい。
【００３０】
ろ過された吸入空気は矢印に示す方向に管３５を流れていく。管３５は熱交換器４０と熱的接触を有する。熱交換器４０は、ヒートポンプ５０の第一面と熱的接触を有し、かつヒートポンプ５０の第二面は同様に相変化物質６０と熱的接触を有する。相変化物質６０は大気温度よりも高い融解温度を有している。吸入空気が管３５を流れると、熱交換器４０／ヒートポンプ５０によって熱が相変化物質６０に除去される。冷却された空気は、ファン１５の動作により空気清浄装置７５を通って排気口８０に送られ、冷却され浄化された排出空気９５として装置１０から排出される。冷却効果を獲得するための熱交換器４０及びヒートポンプ５０の構成例を以下に示す。
【００３１】
空気清浄装置７５は、吸入空気９０に存在する可能性のある汚染微生物の少なくとも一部を除去又は殺菌することに役立つが、数々の形態をとることができる。例えば、空気清浄装置は、バクテリア及びウイルスに照射するためのＵＶ−Ｃ光源、例えば管３５の内部表面等の装置の内部表面に適用してもよい光触媒コーティングのような光触媒コンポーネント、又はマイナスイオン発生器のうち一つ以上を含んでいてもよい。装置１０の排気口８０に隣接するように図示されているが、当然のことながら代わりに清浄装置７５は吸気口２０の近傍に設置してもよいし、又は管３５に沿って延長してもよい。例えば、一連のＵＶ−Ｃ光源は管３５に沿うように設置してもよいし、及び二酸化チタン又は他の光触媒コーティングを管３５の延長に沿って適用してもよいし、又はそのいずれか一方でもよい。
【００３２】
図１では実質直線状に図示されているが、当然のことながら管３５は数々の形態を取ってもよく、例えば少なくとも一部が曲がっていたりしてもよいし、ヘビ状に曲がりくねっていたりしてもよい。
【００３３】
次に、図２は、大気温度より高い融解温度を有する相変化物質を含む容器１１０からなる、全体が１００で示される個人向け冷房装置を示す。現在述べた実施形態において使用される相変化物質はパラフィンワックスであるが、当然のことながら他の実施形態では異なる相変化物質を用いてもよい。
【００３４】
容器１１０は、ハニカム構造の形態を取る熱交換器１０２と同心であり、熱電ヒートポンプ（ペルチェモジュール）１０４ともまた同心である。ペルチェモジュールはそれぞれ、熱交換器１０２と熱的接触を有する第一面１０５と、ヒートシンク１１２のうち一部と熱的接触を有する第二面１０６とを有する。ヒートシンク１１２はフィンの形態を取る複数の突出部を含み、容器１１０内の相変化物質に浸漬され、したがって該相変化物質と熱的接触を有する。
【００３５】
図１に特に示された熱交換器１０２はおおよそ長方形の断面からなり、その各面は四個のペルチェモジュール１０４のうち１個と熱的接触を有する。当業者にとっては当然のことながら、熱交換器１０２について他の形をした断面を選択してもよい。例えば、熱交換器１０２は六角形の断面を有することができ、この場合六角形の各側面に、６個のペルチェモジュールを配置することができる。
【００３６】
冷房装置１００は、ファン１１５の形態を取る、冷却された排出空気を該装置の外部に輸送する手段を含む。大気温度の吸入空気が吸気口（図示しない。）にて受け入れられ、熱交換器１０２によって輸送中に冷却された後、ファン１１５が冷却された排出空気をコントローラー／ベント１２０に移動させ、拡散器１３０がそれを拡散する。
【００３７】
冷房装置の動作は、コントローラー／ベント装置１２０によって制御される。コントローラー１２０は、装置電源のオンとオフ、（ファン速度ノブ１２２を通じた）ファン１１５の速度の調整、及びペルチェモジュール１０４に対する電圧つまり吸入空気から取り去る熱量の（電圧ノブ１２４を通じた）調整、を含む数々の機能を有していてもよい。冷房装置の電力は一般的に主電源から供給されるが、場合によっては発電機又は電池から供給することができる。主電源を用いる時は、ペルチェモジュール１０４に調整可能な直流電圧を供給するために、整流器を含む安定化電源を用いてもよい。
【００３８】
ペルチェモジュール１０４は、その内側向きの（第一）面１０５が「冷たい」面であり、外側向きの（第二）面１０６が「熱い面」となるように構成される。二つの側面の温度差は、「冷たい」面温度が大気温度より低く、「熱い」面温度が相変化物質の融解温度以上となるのに十分である。したがって、ペルチェモジュール１０４は大気温度の吸入空気から第一面１０５において熱を除去し、第二面１０６に輸送し、そして（ヒートシンク１１２を通じて）相変化物質に輸送しここで蓄積される。
【００３９】
冷房装置は好ましくは復水パン１４０を含み、例えば湿度の高い日に形成される可能性がある水滴を受け止める。
【００４０】
図２に示す冷房装置１００はオフィスの作業場への設置に適しており、例えばコントローラー／ベント装置１２０は机天板１５０の上に載置し、冷房装置１００の残りの部分は机天板の下に載置して、一度装置１００が設置されれば視界から消える。例えば、コントローラー／ベント装置１２０はプレート１２８の溝付き延長部１２６を受け止めるための溝又は穴（図示しない。）を、その底面に形成してもよい。設置時には、延長部１２６を設置するために合わせた円形開口部を机天板１５０に形成してもよい。机天板１５０の下に残るコンポーネントは組み立てることができ、一度完了したら、机天板１５０がコントローラー／ベント装置１２０とプレート１２８との間に効果的に挟み込まれるように、延長部１２６はコントローラー／ベント装置１２０に備え付けられる。
【００４１】
図３及び４に、持ち運び可能であり、例えば、設置の必要が無く机の上に直に載置できる、個人向け冷房装置２００の別の実施形態を示す。
【００４２】
冷房装置２００は、相変化物質を含む容器２１０の下に設けられた熱交換器２０２を含む。装置は、装置のケース上部に設けられた端子２４０によって、ペルチェモジュール２０４に電源を供給する再充電可能な電池（図示しない。）に接続してもよい。
【００４３】
熱交換器２０２の上面は一個以上のペルチェモジュール２０４（図６）の第一面と熱的接触を有し、ペルチェモジュール２０４の第二、上面は容器２１０と熱的接触を有する。
【００４４】
図５（分かりやすくするために相変化物質は省略されている）と６とは、冷房装置２００の容器２１０の内部構造を描いたものである。容器２１０は、（相変化中の）部分的に固体の（２１８）及び液体の（２１９）形態で示されたパラフィンワックスを含む。容器２１０は、一般に参照番号２１２で示されるヒートシンクを含む。ヒートシンク２１２は、おおよそＬ字型の断面を有する二枚のプレート２１４と２１５とを含むが、一枚がもう一枚の上面に乗っており、これにより各「Ｌ」字型の短い肢がヒートシンク２１２の端部を形成し、そしてフィン２１３が二つの端部の間を上向きに延び、パラフィンの上面を貫いている。プレート２１４と２１５と突出部（フィン）２１３はアルミニウムのような高い熱伝導性素材から形成されていることが好ましい。
【００４５】
容器２１０の底部に比較的厚い層のアルミニウムを用いた、図６に示す二重壁構成は、ペルチェモジュール２０４の上（熱い）面から固体パラフィン２１８に熱を伝えるのにとりわけ有効であることが分かった。特に、フィン２１３の突出部分は表面積の増加となり、固体パラフィン２１８のより多くの部分が加熱されたアルミニウムと接触する。フィン２１３が無いと、融解していないパラフィン２１８が浮いた状態になりやすく、ペルチェモジュール２０４の熱い面との熱的接触が無く、すなわち冷房装置２００の効率低下につながる。逆に、パラフィンの上面を貫いてフィン２１３が設けられた場合、固体パラフィン２１８の比較的薄い箇所が液体パラフィン２１９を通じて容器２１０の底部に向かって沈むことから、固体パラフィン２１８は重力によってペルチェモジュール２０４の熱い面に継続的にさらされる。
【００４６】
次に、図７は、個人向け冷房装置３００のさらに別の実施形態を示す。装置３００は、ヒートポンプ（図示しない。）と熱的接触を有する相変化物質のタンク３６０を含む筺体３１２を有し、ヒートポンプはタンク３６０と熱交換器３４０との間に挟まれている。ヒートポンプは、例えば上述の通り、一連のペルチェモジュールの形態であってもよい。熱交換器３４０は一連の冷却フィンからなり、筺体の底部近傍に位置している。使用に当たっては、遠心ファン３１５の動作により、吸入空気が吸入口３２０を通り、続いて３３０に位置するろ過装置を通り、そして熱交換器３４０に取り入れられる。ろ過装置３３０は上述のコンポーネントのいずれかからなる。
【００４７】
装置３００は一般に３７２における点線の輪郭で示す排出管を含む。排出管３７２は、例えば既述の空気清浄装置７５に従って、空気清浄装置３７５を含んでもよい。冷却されたかつ浄化された排出空気は排気口３８０から排出されるが、異なる各々の場所へ冷却された空気を輸送するためのダクトをそれぞれ接続してもよい。例えば、各排気口３８０には前述のコントローラー／ベント装置１２０に類似するコントローラー／ベント装置を終端とするダクトを接続してもよい。各々のコントローラー／ベント装置１２０は異なる場所に位置する。
【００４８】
ある実施形態において、装置３００は断熱材３６５、例えば、タンク３６０、筺体３１２及び排出管３７２の寸法に合わせた一列の断熱材、を含み、断熱材３６５はタンク３６０から排出管３７２の中の冷却された空気への熱の移動を低減又は大幅に防ぐため、相変化物質タンク３６０と排出管３７２との間に挟まれている。装置３００はまた、（ファン３１５の速度を制御するための）ファン出力制御ダイヤル３１４と、（例えばペルチェモジュールに対する電圧を調節することにより、ヒートポンプの動作を制御するための）冷房能力制御ダイヤル３１６を含んでもよい。
【００４９】
ろ過装置３３０を、吸入口３２０に隣接した脱着可能トレイ３３２に内蔵してもよい。トレイは取外しを容易にするための埋め込み式取っ手３３５を備えている。トレイ３３２は既知の好適な方法を以って、例えば、筺体３１２の対応する管又は溝に合うように構成されたガイドレールを用いて、筺体３１２に脱着可能に取りつけてもよい。
【００５０】
本発明の範囲から逸脱しない実施形態の様々な変更については、当業者にとって明白である。例えば、今述べた実施形態において採用した相変化物質は約４０℃の融解温度を有するパラフィンワックスであるが、当然のことながら他の実施形態においては必要な熱的特性を有する他の相変化物質を用いることができる。例えば、個人向け冷房装置１００を既に空調が効いている場所で補助的冷房として使用する場合は、約２８℃以上の、より低い融解温度を有する相変化物質を用いることができるであろう。この法則に従う融解温度を有する相変化物質は、所望の冷房を得るために静電ヒートポンプに対して印加する電圧がより低くて済むので、有効である。加えて、上述のヒートシンクはおおよその平板状のフィンの形態をした突出部を採用しているが、ある状況においては、フィンをピン又はスパイクのような長尺部材に取り換えた方が有効かもしれない。
【００５１】
典型的な代替となる相変化物質には、カプセル型水和塩を含む。典型的な水和塩は、約３２℃の融解温度を有する硫酸ナトリウム水和物である。カプセル型水和塩は溶液の中に浸してもよい。
【００５２】
本明細書及びそれに続く特許請求の範囲を通じて、文脈上別に要求される場合を除き、「からなる」という用語及びその変化形は、言及された物（ｉｎｔｅｇｅｒ）若しくはステップ、又は、物若しくはステップの集合を含むということを意味し、その他のいかなる物若しくはステップ、又は、物若しくはステップの集合の排除を意味しない。
【００５３】
本明細書中のいかなる先行文献（又はそれに由来する情報）又は既知のものへの言及は、先行文献（又はそれに由来する情報）又は既知のものが本明細書に関係する技術分野の一般常識の一部を形成することを認識したり、承認したり、又は何らかの形で示唆するものではなく、またそのように解釈されるべきではない。
【符号の説明】
【００５４】
１０    個人向け冷房装置
１２    筺体
１５    ファン
２０    吸気口
３０    ろ過装置
３５    管
４０    熱交換器
５０    ヒートポンプ
６０    相変化物質
７５    空気清浄装置
８０    排気口
９０    吸入空気
９５    排出空気
１００  冷房装置
１０２  熱交換器
１０４  ペルチェモジュール
１０５  第一面
１０６  第二面
１１０  容器
１１２  ヒートシンク
１１５  ファン
１２０  コントローラー／ベント装置
１２２  ファン速度ノブ
１２４  電圧ノブ
１２６  溝付き延長部
１２８  プレート
１３０  拡散器
１４０  復水パン
１５０  机天板
２００  個人向け冷房装置
２０２  熱交換器
２０４  ペルチェモジュール
２１０  容器
２１２  ヒートシンク
２１３  フィン
２１４  プレート
２１５  プレート
２１８  固体パラフィンワックス
２１９  液体パラフィンワックス
２４０  端子
３００  個人向け冷房装置
３１２  筺体
３１４  ファン出力制御ダイヤル
３１５  遠心ファン
３１６  冷房能力制御ダイヤル
３２０  吸入口
３３０  ろ過装置
３３２  脱着可能トレイ
３３５  埋め込み式取っ手
３４０  熱交換器
３６０  タンク
３６５  断熱材
３７２  排出管
３７５  空気清浄装置
３８０  排気口
【図１】
2014518368.tif 000003
【図２】
2014518368.tif 000004
【図３】
2014518368.tif 000005
【図４】
2014518368.tif 000006
【図５】
2014518368.tif 000007
【図６】
2014518368.tif 000008
【図７】
2014518368.tif 000009
【国際調査報告】
2014518368.tif 000010
2014518368.tif 000011
2014518368.tif 000012